(57)【要約】      （修正有）【課題】優れた外観を有し、簡単に製造でき、清掃が容易で、既存のトイレやビデ本体に取り付け可能なヒンジ部及び多機能シートを提供する。【解決手段】ヒンジ部８、９は、電源１２とシート２との間で電気を案内するための導電性の第１のコーティングを有し、シート２のヒンジ部ホルダ６、７と連結する。これにより、ユーザーによる接続の解除が困難となり、特にシート２の取り外しと再設置（ＱＲ機能）が、所定の角度においてのみ可能となる。この角度以外では、トイレシート２はヒンジ部８、９にしっかりと固定されている。ヒンジ部８、９のコア又は要素は、合金鋼製である。【選択図】図１
0003216815.tif 000002
【実用新案登録請求の範囲】
【請求項１】
トイレやビデ本体に締結するための衛生器具用のヒンジ部であって、電源及び前記衛生器具のシートに対して、電気的に接続・切断できるヒンジ部において、
前記電源と前記シートとの間で電気を案内する導電性の第１のコーティングを有することを特徴とするヒンジ部。
【請求項２】
合金鋼、より好適にはステンレス合金鋼製であることを特徴とする請求項１に記載のヒンジ部。
【請求項３】
ボルト形状を有するように設計され、且つ、少なくとも１つの環状の凹部を前記シートのヒンジ部ホルダに対する接続点として有することを特徴とする請求項１又は２に記載のヒンジ部。
【請求項４】
前記第１のコーティングは、特にコーティングの厚さ、均質性及び／又は材料の組成について、１０００Ｗまで、より好適には５００Ｗ又は１００Ｗまでの電力を送電できるように形成されていることを特徴とする請求項１〜３のいずれか１項に記載のヒンジ部。
【請求項５】
前記第１のコーティングは、互いに対して少なくとも部分的に離隔され且つ／又は互いに対して少なくとも部分的に接続された複数のマイクロストリップを有し、
前記複数のマイクロストリップのうち少なくとも１つが平面アンテナとして設計されていることを特徴とする請求項１〜４のいずれか１項に記載のヒンジ部。
【請求項６】
保護コーティングとして前記第１のコーティングに少なくとも部分的に塗布され、好適にはクロム製の、酸化されない第２のコーティングを好適には有することを特徴とする請求項１〜５のいずれか１項に記載のヒンジ部。
【請求項７】
トイレ又はビデ本体に取り付け可能なヒンジ部にそれぞれ取り外し可能に接続される少なくとも２つのヒンジ部ホルダと、少なくとも１つの電気部品とを有する、前記トイレ又はビデ本体に取り付けられる衛生器具用多機能シートであって、
前記シート及び／又はその蓋が、前記ヒンジ部ホルダの軸線回りに回転可能であり、
前記ヒンジ部ホルダが、前記少なくとも１つの電気部品に電気的に接続され、前記ヒンジ部に電気的に接続可能で、前記ヒンジ部と前記少なくとも１つの電気部品との間で電流を案内するように設計されている多機能シートにおいて、
前記ヒンジ部ホルダが、ユーザーによる接続の解除が阻害される又は困難となるように、前記ヒンジ部ホルダ内に設置可能な前記ヒンジ部と連結するように設計されていることを特徴とする多機能シート。
【請求項８】
前記ヒンジ部ホルダは、請求項１〜６のいずれか１項に記載の１つのヒンジ部に、特に請求項３に記載のヒンジ部の環状の凹部に接続可能であることを特徴とする請求項７に記載のシート。
【請求項９】
照明手段、暖房装置、カバー及び／又は前記シートを前記トイレ又はビデ本体に対して持ち上げ且つ／又は降ろしたり、特に回転させたりする昇降装置、及び／又は、センサシステムを、電気部品として備え、前記電気部品が特に前記シート内に組み込まれていることを特徴とする請求項７又は８に記載のシート。
【請求項１０】
前記少なくとも１つの電気部品を、データ信号のための無線受信機を介して、及び／又は、前記ヒンジ部から前記ヒンジ部ホルダへと送信されるデータ信号を介して、制御できることを特徴とする請求項７〜９のいずれか１項に記載のシート。
【請求項１１】
前記シートの前記少なくとも１つの電気部品を制御するための電子部品を有する少なくとも１つの制御ユニット及び／又は回路基板が、シート内に組み込まれていることを特徴とする請求項７〜１０のいずれか１項に記載のシート。
【請求項１２】
前記少なくとも２つのヒンジ部ホルダのうちの１つが電気を供給するように設計され、前記少なくとも２つのヒンジ部ホルダのうちの別の１つが電気を流出させるように設計されていることを特徴とする請求項７〜１１のいずれか１項に記載のシート。
【請求項１３】
前記ヒンジ部ホルダは、挿入された前記ヒンジ部との連結を、角度に応じて、若しくはある角度又はある角度範囲で解除するように設計されていることを特徴とする請求項７〜１２のいずれか１項に記載のシート。
【請求項１４】
請求項７〜１３のいずれか１項に記載の多機能シートを有し、請求項１〜６のいずれか１項に記載のヒンジ部を少なくとも２つ有する衛生器具、特にトイレ又はビデ。
【請求項１５】
前記少なくとも２つのヒンジ部のうちの１つに正の電圧を供給し、前記少なくとも２つのヒンジ部のうちの別の１つに負の電圧を供給する電源を備えることを特徴とする請求項１４に記載の衛生器具。
【考案の詳細な説明】
【技術分野】
【０００１】
本考案は、衛生器具用のヒンジ部及び多機能シートと、そのようなヒンジ部及びシートを備えた衛生器具とに関する。
【背景技術】
【０００２】
例えばトイレやビデ等の衛生器具は、世界中で長年にわたり広く知られてきた。現在、一般的なトイレやビデは、ユーザーのための追加の快適機能を有するように長年にわたって改良されており、例えば、トイレやビデのシートリング用の暖房システム、照明システム、消臭システム、性器周辺用のシャワー等の性器周辺洗浄システム又はブロードライヤー等の乾燥システム等の電気／電子部品を備える。
【０００３】
また、現時点において既知の一部のトイレやビデは、トイレやビデの蓋の自動開閉、また適用可能な場合には対応するシートリングの自動昇降をサポートしている。
【先行技術文献】
【特許文献】
【０００４】
【特許文献１】独国特許出願公開第１９８２２９６６号明細書
【考案の概要】
【０００５】
現時点において既知の全てのシステムでは、これらの快適機能のサポートに必要な電子部品や機械部品、センサ部品、例えば、蓋及び／又はシートリングを昇降させるモータ、シート暖房システム又は照明を制御するための電子機器等の部品を追加のハウジング内に配置している。このハウジングは、概して、トイレやビデの後方やその後部領域に配置され、収容されている部品の複雑さや数によって相当な大きさを有するので、トイレやビデが、より大きなスペースを必要とし且つ不格好なかさばる外観を有することになる。
【０００６】
機械部品や電気部品、センサ部品を収容するために大きな外部ハウジングを使用しなければならないという現在までの要件の別の欠点としては以下のものがある。シートリング及び／又は蓋を昇降させるためにハウジング内に設けられたモータが、シートリング又は蓋の実際のヒンジ式取り付け具から遠くに位置付けられるため、このような装置には、シートリング及び／又は蓋からモータまで延在する対応する延長部分を設けなければならない。その結果、外部ハウジングの取り付けに必要なトイレやビデの本体支持面が大きくなる。しかし、これに関連するシートリング及び／又は蓋は、例えば従来のトイレシートよりも不安定である。
【０００７】
このような外部ハウジングの別の欠点は、とりわけ、それに使用される赤外線センサ技術に関連するものであり、例えば、トイレシートリング又は蓋の遠隔自動開閉に必要な現在まで使用されている赤外線測定技術の機能を促進するために、かなり目立つセンサ窓がハウジングに必要となる。更に、機械部品や電気部品、センサ部品のために現在まで必要とされてきた追加の外部ハウジングとの配線は、不格好であるだけでなく、故障の原因となる。また、ある状況下では、事故のリスクとなったり、トイレやビデの掃除の妨げとなったりする。
【０００８】
特許文献１には、点灯可能な衛生シートであって、照明手段が封入法によって埋設されている衛生シートが記載されている。そのために、衛生シートに電気を供給できるように、導電体が、ヒンジ部として機能するジョイント点の空洞内に配置される。
【０００９】
しかし、この既知の器具は、ヒンジ部の製造が複雑で、衛生シートとヒンジ部との接続や取り外しが容易にできないという欠点がある。同様に、ヒンジ部が複数の部品で構成されると共に電気ケーブル用の空洞を有するため、シート／ヒンジ接続点におけるヒンジ部、トイレ本体及び衛生シートを衛生的に清掃するのが難しい。
【考案が解決しようとする課題】
【００１０】
本考案は、トイレ及び／又はビデのための便座又はシートリングと、ヒンジ部と、そのようなシート又はシートリングを備え、下記の欠点を有さない衛生器具とを提供することを目的とする。特に、これらは優れた外観を有し、簡単に製造でき、清掃が容易で、既存のトイレやビデ本体に取り付け可能なように設計されるべきである。
【課題を解決するための手段】
【００１１】
この課題は、請求項１に記載のヒンジ部、請求項７に記載の多機能シート及び請求項１４に記載の衛生器具によって解決される。
【００１２】
本考案において、「ヒンジ」という用語は、２つの固体部品を移動可能に接続するジョイントを意味する。ヒンジは、自由度を有するマウントとして、可動部品の応力負荷及び移動の力の両方に適応可能であるべきである。本考案によると、ヒンジは、特に、衛生器具に取り付け可能なヒンジ部と多機能シートに配置されたヒンジ部ホルダとで構成され、ヒンジ部をヒンジ部ホルダ内に又はヒンジ部ホルダをヒンジ部内に挿入できる。「シート」という用語は、とりわけシートリングと蓋とを有するトイレシートを意図しているが、これに限定されない。
【００１３】
特に、本考案は、トイレやビデ本体に締結するための衛生器具用のヒンジ部に関し、ヒンジ部は、電源及び衛生器具に対して、電気的に接続・切断できる。ここでは、ヒンジ部は、電源とシートとの間で電気を案内するための第１の導電性コーティングを有する。
【００１４】
このヒンジ部は、ヒンジ部を空洞のない一体の部品として設計できるという利点を有する。そして、浸漬塗装又は亜鉛めっき等のコーティング法によってヒンジ部に導電性コーティングを塗布できる。こうしてヒンジ部内又は上のケーブルの複雑な配線や取り付けを回避できるため、全体の製造コストを削減できる。同様に、ヒンジ部は、電気部品に電気を供給するために通常必要なプラグ接続部の代わりとなる。更に、コーティングによって、シートのヒンジ部ホルダ内の接触部との接触面を十分に大きくできるので、ヒンジ部とシートとの電気的接触又は接続を確実に安定して確立できる。
【００１５】
衛生、美観及び構造的安定性に関する要件を満たすために、ヒンジ部、特に第１のコーティングが設けられたヒンジ部のコア又は要素は、好適には合金鋼、より好適にはステンレス合金鋼製である。
【００１６】
また、ヒンジ部がボルト又はピン形状を有するように設計され、且つ、少なくとも１つの環状の凹部をシートのヒンジ部ホルダに対する接続点として有していると有利であることが分かっている。ヒンジ部のボルト形状は容易に製造でき、特に後のコーティングに関する再加工も容易である。凹部及びヒンジ部の軸方向断面は両方とも、衛生器具上のヒンジ部の取り付け位置がどこにあるかに関係なく、シートのヒンジ部ホルダをヒンジ部、特にその軸線上に設置し、ヒンジ部と連結できるように円形状である。従って、ヒンジ部を衛生器具に取り付ける際、ヒンジ部の所定端部の位置に注意する必要がなく、設置が容易となっている。このため、ヒンジ部ホルダ自身をヒンジ部の軸線回りに回転させることができるが、好適なシートの衛生器具との二重ヒンジ接続によってこの自由度を制限し阻止できる。
【００１７】
好適には、第１のコーティングは、特にコーティングの厚さ、層幅、均質性及び／又は材料の組成について、１０００Ｗまで、より好適には５００Ｗまで、最良の場合には約１００Ｗの電力を送電できるように形成されている。２４Ｖの低電圧で１００Ｗの送電の場合、第１のコーティングは少なくとも約４．２Ａの電流を通すことができる。第１のコーティングの内部抵抗を低く抑えるためには、好適には、銀、ニッケル又はその他の高導電性材料を第１のコーティングに使用できる。
【００１８】
好適には、第１のコーティングは、互いに対して少なくとも部分的に離隔され且つ／又は互いに対して少なくとも部分的に接続された複数のマイクロストリップを有する。ここでは、様々な電流だけでなく、様々なデータ信号を別々に、ヒンジ部を介して送る及び／又はヒンジ部ホルダ内の様々な接点へと案内するというオプションが存在する。ヒンジ部を介してデータ信号を送信する場合、ヒンジ部は好適にはその下側にある対応するデータケーブルに接続される。そしてシート、特にヒンジ部ホルダは、データ信号をヒンジ部と送受信するために、ヒンジ部との電気的接続を確立するための対応する接続要素を有する。また、複数のマイクロストリップのうち少なくとも１つは、特に第１のコーティングで形成される平面又はパッチアンテナを有していてもよい。アンテナは、多機能シートの電気部品用の受信機及び／又は送信機として機能できるので、シート内の空間を節約できる。
【００１９】
ヒンジ部は、第１のコーティングを機械的損傷及び湿気に関連した酸化から保護するために、好適にはクロム製の、酸化されない第２のコーティングを好適には有し、第２のコーティングは、第１のコーティングによって少なくとも部分的に形成されるか、第１のコーティング上に少なくとも部分的に塗布される。第２のコーティングは、第１のコーティングが生成された後、ヒンジ部に形成又は塗布される。あるいは、第２のコーティングは、第１のコーティングを保護するために当該第１のコーティングを処理することによって生成することもできる。
【００２０】
本考案は、トイレ又はビデ本体に取り付け可能なヒンジ部にそれぞれ取り外し可能に接続される少なくとも２つのヒンジ部ホルダと、少なくとも１つの電気部品とを有する、トイレ又はビデ本体に取り付けられる衛生器具用多機能シートであって、シート及び／又はその蓋が、ヒンジ部ホルダの軸線回りに回転可能であり、ヒンジ部ホルダが、少なくとも１つの電気部品に電気的に接続され、ヒンジ部に電気的に接続可能で、ヒンジ部と少なくとも１つの電気部品との間で電流を案内するように設計されている多機能シートにおいて、ヒンジ部ホルダが、ユーザーによる接続の解除が阻害される又は困難となるように、ヒンジ部ホルダ内に設置可能なヒンジ部と連結するように設計されている、多機能シートにも関する。これは特に、下記のシート又はヒンジ部ホルダのＱＲ機能によって発生する。
【００２１】
本考案に係るシートリングは、ユーザーの体に応じた一般的な寸法を有し、特に本考案に係るヒンジ部によって一般的なトイレやビデ本体に適用されるのに適している。また、これは、ヒンジ部ホルダに挿入可能なヒンジ部が、ヒンジ部ホルダに対する電気的接続を既に確立でき、これによりシートとの接続を確立できることを意味している。この接続の解除を防止しつつ、各部品、即ちヒンジ部ホルダ及びヒンジ部の構造の安定性を確保するために、ヒンジ部は、ヒンジ部のホルダからの抜き出しを阻害又は少なくとも困難にする手段及び特徴を有する。とりわけこのような手段としては、ホルダの内壁とヒンジ部の外壁との間の例えば、滑り嵌めや圧入等の能動的ロック結合や、ヒンジ部の外壁と連結するロック要素による能動的ロック結合や、ヒンジ部の外壁に押し付けられる保持要素による受動的結合が挙げられる。
【００２２】
好適には、シートのヒンジ部ホルダは、請求項１〜６のいずれか１項に記載の１つのヒンジ部に接続可能で、特に請求項３に記載のヒンジ部の円状の凹部と連結可能である。連結は、上述のロック要素を用いて実施できる。
【００２３】
また、シートが、照明手段、暖房装置、蓋及び／又はシートをトイレ又はビデ本体に対して持ち上げ且つ／又は降ろしたり、特に回転させたりする昇降装置、及び／又は、センサシステムを、電気部品として備え、これらの電気部品が特にシート内に組み込まれていると有利であることが分かっている。ここでは、本考案に係るシートリング自身が、昇降装置、照明手段及びシートヒータを収容するハウジングとして機能するので、追加の外部ハウジングを無くすことができる。従って、有利な方法では、多機能シートの機械部品や電気部品、センサ部品が全て、シート自身の上又は内部に直接配置されたりシートリング内に組み込まれたりするので、これらの部品を収容するための、大きくかさばる外部ハウジングを無くすことができる。ここで、「シート」及び「シートリング」という用語は、本考案の範囲において同義語として使用されていることに言及しておく。
【００２４】
電気部品の制御を改良し、それらのより柔軟な設計を実現するために、少なくとも１つの電気部品は、無線又は光信号の形のデータ信号のための無線受信機及び／又は送信機を有する。これに加え又はこれに代わり、電気部品は、ヒンジ部からヒンジ部ホルダへ送信されたデータ信号によって制御されるか、データ信号をヒンジ部へ送ってもよい。
【００２５】
好適には、少なくとも制御ユニット及び／又は回路基板が、シートに含まれるコンピュータチップ、トランジスタ、抵抗器等の電気部品のうち少なくとも１つを制御するために、これらの電気部品を有するシート内に組み込まれている。制御システムを一元化することにより、電気部品自身の制御システムが不要となるので、スペースとコストを節約できる。シートリングは、平均的なユーザーの所与の一般的な人体寸法に応じてそれ自身設計されており、ハウジングを形成する少なくとも１つの下側ハウジング部と少なくとも１つの上側ハウジング部とで構成されていてもよい。ハウジングの内部空間、即ちシートリングの内部空間には、本考案に係る多機能シートの快適部品が収容されている。これら部品に含まれるものとしては、昇降装置、照明装置、暖房装置、制御ユニット、回路基板、更にはもし適用可能な場合には、１つ又は複数のセンサ、シートを持ち上げ且つ／又は降ろすために必要なモータ等が考えられる。
【００２６】
好適には、少なくとも２つのヒンジ部ホルダのうちの１つが電気を供給するように設計され、少なくとも２つのヒンジ部ホルダのうちの別の１つが電気を流出させるように設計されている。こうして、湿気又は液体による意図しない短絡が発生しないように、電力線が互いに対して物理的に離隔されている。また、電力ネットワークやその部品の関連する設計が簡略化されるので、製造コストが削減される。
【００２７】
電子トイレシートはヒンジ部ホルダを備え、ヒンジ部ホルダは、角度に応じた又は角度に依存した取り外し機能（クイックリリース機能、ＱＲ機能）を好適には有する。即ち、ヒンジ部ホルダは、角度に応じて、若しくはある角度又はある角度範囲で、挿入されたヒンジ部との連結を解除するように設計されており、特にヒンジ部又はトイレシートは、所定の位置においてのみ取り外しと再装着が可能である。好適には、これに限定されないものの、衛生器具の上側／上面に対して５５°〜７５°の間の角度である。このトイレシートの取り外し機能によって、ユーザーは、例えば、シートを掃除するためにこれを取り外す際、工具を使わずに簡単に取り外しを行うことができる。これは、上記目的のためにトイレシートを取り除く度に厄介なケーブルの抜き差しを行う必要がなくなるため、電子トイレシートにおいて特に快適である。詳しくは、これは、小さなばねをヒンジ部内の（円状の凹部としての）溝内に押し込むことでロックするという方法で機能する。
【００２８】
角度が５５°〜７５°の場合には上述のようにはならない。この場合、ばねを溝から押し出すことができ、これによりロックを解除できる。それから、ばねが反対方向に押されることで、シートリング内へと押し込まれる。これは対応する凹みが丁度その位置にあるため可能となる。
【００２９】
本考案は、請求項７〜１２のいずれか１項に記載の多機能シートを有し、請求項１〜６のいずれか１項に記載のヒンジ部を少なくとも２つ有する衛生器具、特にトイレ又はビデに関する。これにより、本考案に係る多機能シートを備えた衛生器具を、優美で、スリムで、魅力的なデザインとすることができる。これは、快適部品のための追加の外部ハウジングを設ける必要がないからである。
【００３０】
また、好適には、衛生器具は、少なくとも２つのヒンジ部のうちの１つに正の電圧を供給し、少なくとも２つのヒンジ部のうちの別の１つに負の電圧を供給する電源を備える。電源は、好適には、例えば家庭又はビルの入手可能な電圧を低電圧に変圧する変圧器である。
【００３１】
本考案のその他の有利な実施形態を以下に説明する。
【００３２】
ヒンジ部は、屈曲していても又はＬ字形であってもよい。Ｌ字形の実施形態では、ヒンジ部の一部が、回転軸線上に配置されるかこれを形成してもよく、挿入又は設置されたシートがこの軸線回りに回転することを可能とする。
【００３３】
また、各ヒンジ部とカバーとは、これら２つの部品の間でのみ電気的接続が確立可能となるように設計されていてもよい。このために、カバーは、ヒンジ部を収容する又はヒンジ部に挿入される対応するヒンジ部ホルダを有する。
【００３４】
ヒンジ部及びシートは、衛生器具だけでなく、その他の製品でも利用できるように設計されている。
【００３５】
ヒンジ部及びヒンジ部ホルダの形状をそれぞれボルト及び止まり穴とする実施形態に加え、有利な逆の実施形態が存在する。この実施形態では、ヒンジ部ホルダがボルトのような形状を有し、ヒンジ部が、ヒンジ部ホルダのための凹み、より好適には円筒状の止まり穴を有する。
【００３６】
昇降装置は、好適には蓋及び／又はシートを持ち上げ且つ／又は降ろすためのモータを有し、モータは、シートと一体に設計され、特に使用時においてシートの後部となるシート上の部分に形成されたハウジング内に配置される。このため、空洞が、少なくとも１つのモータを収容するのに適したシートリングの後部に形成される。従って、この空洞は、蓋及びシートリングを持ち上げ且つ／又は降ろすのに必要なヒンジの領域に位置している。本考案の有利な実施形態によると、電気モータとして設計されうるモータの回転軸線は、同時に蓋又はシートが取り付けられた少なくとも１つのヒンジの回転軸線でもある。
【００３７】
本考案によると、シートのハウジングは、好適には熱硬化性の材料、具体的には熱硬化性樹脂で作成され、主により傷に強く寸法的に安定した熱硬化性樹脂を本考案に係る衛生器具のシート及び／又は蓋の外面又は荷重付加面にのみ設けることもできる。このために、シート又は蓋若しくは上記外面又は荷重付加面を熱硬化性樹脂で直接作成してもよく、熱硬化性樹脂でコーティングしてもよい。あるいは、本考案に係るシートリング及び／又は蓋、特に、シートリングの上側及び／又は下側ハウジング部を、ＡＢＳ（アクリロニトリルブタジエンスチレン）、ポリエチレン、ポリプロピレン等の熱可塑性物質又はこれらの成分の混合物から製造してもよい。
【００３８】
また、本考案の範囲内において、多機能シートには、シートリング単体とシートリング及び蓋の組み合わせとの両方が含まれると理解されるべきであるという点について言及しておく。これは、本考案に係る多機能シートが、制御ユニット、即ち、蓋を持ち上げたり降ろしたりするための電気、機械部品を備え、本考案の実施形態に係る多機能シートを蓋とともに１つのユニットと見なせるためである。必要に応じて、モータを収容するハウジングを、シートリングの代わりに蓋に、シートリングに設けた場合と同じように配置できる。この実施形態は本考案の範囲に含まれる。この場合、モータハウジングは、蓋と一体の部分として設計される。またこの場合、モータハウジングをシートリングと蓋とのジョイント部分とすることもできる点を指摘しておく。
【００３９】
また、本考案に係る快適シートは、既存のトイレシート用の一般的で標準的なヒンジに対応して機能する。それによって、本考案に係る快適シートの取り付けは他のトイレに関してもより安定している。この場合、シートは追加のハウジングに取り付けられ延長ストラットを使用する本考案に係るシートに適用されるボルト状のヒンジ部を介して接触が行われる上記接続による電気部品への電力供給によって、電力供給部が完全に隠されたいわゆる「クイックリリース」システムを作成できる。これにより、電力ケーブルが、ヒンジ部からヒンジ部ホルダを介して本考案に係るシートの電気部品へと隠れた状態で引き回され、対応する電気的接触が確立する。この「クイックリリース」システムを使用することにより、例えば衛生器具をより簡単・良好に清掃するために、本考案に係る快適シートの取り外しや再設置を容易化できる。
【００４０】
電気部品は、リモコンを用いて手動で、或いは例えばモーションセンサ等のセンサによって自動で制御できる。このようなリモコンは、本考案に係るシートとともに提供される一般的なリモコンの形で設計されてもよく、例えば、本考案に係る便座の機能を制御するのに適したスマートフォンアプリの形で設計されてもよい。赤外線センサたりうるモーションセンサは、現在まで一般的であった外部ハウジングの上部ではなく、外部ハウジングの前部におけるシートリングの下側に配置されている。モーションセンサは、例えば、トイレやビデ本体のセラミックスとシートリングとの間の隙間を用いて誰かがトイレ又はビデに近づくか検知することで、プログラミングに応じて蓋又は蓋及びシートを自動的に開閉できる。同様に、レーダーセンサをモーションセンサに加えて又はその代わりに利用できる。レーダーセンサは、好適には、その電磁波がシートリング及び蓋の材料を貫通できる状態で、シートリングの後部にセンタリングされる。センサシステムは、ユーザーが立っているのか座っているのかを検知できるので、衛生器具の使用中に、トイレシート及びシートリングの位置が変わる、例えば、誤って閉じられることが避けられる。モーションセンサは立っているユーザーの検知を担う一方、容量式センサは座っているユーザーの検知を制御する。
【００４１】
また、ヒンジ部とヒンジ部ホルダとの間の好適な当接の可能性について説明する。ヒンジ部は、ヒンジ部ホルダの要素のために、１つ導電性当接面又は互いに対して離隔された複数の導電性当接面として、上述の第１のコーティングを有している。このため、ヒンジ部の当該面は、特にボルト状のヒンジ部の全周にわたって主に広がるように設計されている。これにより、ヒンジ部ホルダに挿入されたヒンジ部は、どの位置においてもホルダに対する電気的接続を確実に確立できる。
【００４２】
様々な接触面を使用する場合、これらは好適にはヒンジ部の軸線に沿って上下に重なるように、互いに対して離隔して配置される。これにより、第１の又は最も上に配置された面の下に設計された環状の各接触面はスリットを有し、このスリットには、電力供給／流出用のマイクロストリップを配線するために、第１のコーティングが存在しない。
【００４３】
ヒンジ部ホルダは、好適には、弾性的に撓むように又はばね荷重により止まり穴の空洞内に突出する１つ又は複数の接触延長部分を有し、接触延長部分は、ヒンジ部に挿入される場合、ヒンジ部の接触面と接触する。接触延長部分は、点状であっても環状であってもよい。同様に、１つ又は複数の接触延長部分は、上述のヒンジ部の凹部と連結するためのロック手段としても同時に機能して能動的ロック結合を形成することもでき、これによりヒンジ部をヒンジ部ホルダから抜き出しづらくすることができる。このため、凹部には第１のコーティングが設けられる。
【００４４】
例示的な実施形態を用いて本考案を以下に記載し、図面を用いて更に詳細に説明する。図面は以下のものを含む。
【図面の簡単な説明】
【００４５】
【図１】図１は、本考案に係る衛生器具の概略表示図である。
【図２】図２は、本考案に係る衛生器具の概略断面図である。
【図３】図３は、本考案に係る衛生器具の概略断面図である。
【考案を実施するための形態】
【００４６】
図１は、トイレ本体１０と、多機能トイレシート２と、シートに回転可能に取り付けられたトイレ蓋４とを有する本考案に係る衛生器具の概略表示図を例示している。２つのヒンジ部ホルダ６，７はシート２と一体となっており、第１のホルダ６は正の電圧の供給に適しており、第２のホルダ７は負の電圧の供給に適している。トイレ本体１０は、２つの凹みを有しており、ヒンジ部８，９がそれぞれ挿入される。ヒンジ部８，９はそれぞれ締結ホルダ２４，２５によってトイレ本体１０に取り付けられる。ヒンジ部８，９の上端は、トイレ本体１０の表面に対して垂直に上方へ延在し、ヒンジ部ホルダ６，７に挿入可能である。ジョイント軸線上にあるヒンジ部ホルダ６，７は、挿入状態、即ち、ヒンジ部８，９がホルダ６，７に挿入されている状態では、シート２及び／又は蓋４が当該軸線回りに回転する際に移動しない。排水部及び給水部から分離されたトイレ本体１０の１つの空洞内に電源１２が配置され、電源１２には家庭／ビルネットワークから電源ケーブル２２によって電流が供給される（例えば、２２０Ｖ）。２本の低電圧ケーブル１８，２０が電源１２から引き出されており、ヒンジ部８，９、特に、それらの低電圧ケーブル１４，１６に電気的に接続されている。これにより、家庭／ビルネットワークから電源１２及びヒンジ部８，９を介して多機能シートへと達し、家庭／ビルネットワークへと再び戻る電気回路が形成され、この回路によってシート２に組み込まれた電気部品を動作させることができる。
【００４７】
図２は、本考案に係る衛生器具の概略断面図を示しており、図１の様々な要素や部品を詳しく見ることができる。この図から、回転軸線３０を見ることができ、その軸線上にヒンジ部ホルダ６，７と、シート２及び蓋４の後端とが位置していることが分かる。ヒンジ部ホルダ６，７は、それぞれ円筒状の軸方向延長部分４４を有しており、軸方向延長部分４４は、シート２及び蓋４に接続され、これらを回転可能に搭載している。ヒンジ部８，９は、挿入状態において、回転軸線３０に対して垂直に配列される。また、ヒンジ部８，９はそれぞれスペーサーディスク２９を有し、スペーサーディスク２９は、トイレ本体だけでなく環状の凹部２８を有するボルト要素２６，２７（ヒンジボルトピンとも言う）と当接する天井プレートと支持プレート（Ｃ用（for the C））とで形成されている。スペーサーディスク２９は、ヒンジ部８，９を締結する際にその一端がトイレ本体１０の表面からいつも同じ長さだけ突出するようにボルト要素２６，２７に局所的に固定されている。特に、スペーサーディスク２９は、ボルト要素２６，２７に、そのねじ側から押し込まれ、ボルト要素のエンドストップによって止められる。これにより、ボルト要素はいつも同じ高さを有するため、いつでもヒンジ部ホルダ６，７に挿入され、これと連結できる。ヒンジ部８，９、特にそのボルト要素２６，２７は、締結状態において締結ホルダ２４，２５に挿入されこれと締結される。締結ホルダ２４，２５は、トイレ本体１０の空洞３６内に位置している。このため、トイレ本体１０を壁に取り付けることができる。特に、空洞３６内のトイレ本体１０の保持部３８は、壁に締結されたマウンティングブラケット３２上に載置され、締結要素３４によってマウンティングブラケット３２に取り付けられる。ヒンジ部８，９に接続された低電圧ケーブル１４，１６は、締結ホルダ２４，２５、締結要素３４、取付けブラケット３２内のパイプ状の空所を通り、電源１２へと延びる。ヒンジ部８，９、特にボルト要素２６，２７は、下端に締結ホルダ２４，２５と締結するためのねじ部４０を有する。更に、ヒンジ部８，９は、ヒンジ部ホルダ６，７、特にそれらの対応する止まり穴４２にエンドストップまで挿入できる。止まり穴４２には、凹部２８と連結する少なくとも１つのロック要素（不図示）が設けられており、これによりヒンジ部をホルダ内でロックできる。
【００４８】
図３は、既に図１及び図２でより詳細に説明した、本考案に係る衛生器具の概略断面図を示している。
【００４９】
尚、上述の部分は、全て別々と見なすことも、任意の組み合わせとしても見なすこともできる。特に図面における詳細は、本考案にとって重要であると見なされる。これに対する改良は、当業者にとって一般的である。
【符号の説明】
【００５０】
２  電子／多機能トイレシート
４  蓋
６  ヒンジ部ホルダ（正極用）
７  ヒンジ部ホルダ（負極用）
８  ヒンジ部（正極用）
９  ヒンジ部（負極用）
１０  トイレ又はビデ本体
１２  電源（変圧器２２０Ｖ、ＡＣ→２４Ｖ、ＤＣ）
１４  ヒンジ部のための正極用低電圧ケーブル
１６  ヒンジ部のための負極用低電圧ケーブル
１８  電源のための正極用低電圧ケーブル
２０  電源のための負極用低電圧ケーブル
２２  家庭／ビルネットワーク２２０Ｖ、ＡＣとの接続のための電源ケーブル
２４  ヒンジ部（正極用）のための締結ホルダ
２５  ヒンジ部（負極用）のための締結ホルダ
２６  ボルト要素
２７  ボルト要素
２８  環状の凹部
２９  スペーサーディスク
３０  回転軸線
３２  トイレ及びビデ本体のための取付けブラケット
３４  取付けブラケットのための締結要素
３６  トイレ本体内の空洞
３８  空洞内の保持部
４０  ねじ部
４２  止まり穴
４４  軸方向延長部分
【図１】
0003216815.tif 000003
【図２】
0003216815.tif 000004
【図３】
0003216815.tif 000005
【手続補正書】
【提出日】平成30年4月19日(2018.4.19)
【手続補正１】
【補正対象書類名】実用新案登録請求の範囲
【補正対象項目名】全文
【補正方法】変更
【補正の内容】
【実用新案登録請求の範囲】
【請求項１】
トイレやビデ本体に締結するための衛生器具用のヒンジ部であって、電源及び前記衛生器具のシートに対して、電気的に接続・切断できるヒンジ部において、
前記電源と前記シートとの間で電気を案内する導電性の第１のコーティングを有することを特徴とするヒンジ部。
【請求項２】
合金鋼製であることを特徴とする請求項１に記載のヒンジ部。
【請求項３】
ボルト形状を有するように設計され、且つ、少なくとも１つの環状の凹部を前記シートのヒンジ部ホルダに対する接続点として有することを特徴とする請求項１又は２に記載のヒンジ部。
【請求項４】
前記第１のコーティングは、コーティングの厚さ、均質性及び／又は材料の組成について、１０００Ｗまでの電力を送電できるように形成されていることを特徴とする請求項１〜３のいずれか１項に記載のヒンジ部。
【請求項５】
前記第１のコーティングは、互いに対して少なくとも部分的に離隔され且つ／又は互いに対して少なくとも部分的に接続された複数のマイクロストリップを有し、
前記複数のマイクロストリップのうち少なくとも１つが平面アンテナとして設計されていることを特徴とする請求項１〜４のいずれか１項に記載のヒンジ部。
【請求項６】
保護コーティングとして前記第１のコーティングに少なくとも部分的に塗布され、酸化されない第２のコーティングを有することを特徴とする請求項１〜５のいずれか１項に記載のヒンジ部。
【請求項７】
トイレ又はビデ本体に取り付け可能なヒンジ部にそれぞれ取り外し可能に接続される少なくとも２つのヒンジ部ホルダと、少なくとも１つの電気部品とを有する、前記トイレ又はビデ本体に取り付けられる衛生器具用多機能シートであって、
前記シート及び／又はその蓋が、前記ヒンジ部ホルダの軸線回りに回転可能であり、
前記ヒンジ部ホルダが、前記少なくとも１つの電気部品に電気的に接続され、前記ヒンジ部に電気的に接続可能で、前記ヒンジ部と前記少なくとも１つの電気部品との間で電流を案内するように設計されている多機能シートにおいて、
前記ヒンジ部ホルダが、ユーザーによる接続の解除が阻害される又は困難となるように、前記ヒンジ部ホルダ内に設置可能な前記ヒンジ部と連結するように設計されていることを特徴とする多機能シート。
【請求項８】
前記ヒンジ部ホルダは、請求項１〜６のいずれか１項に記載の１つのヒンジ部に接続可能であることを特徴とする請求項７に記載のシート。
【請求項９】
照明手段、暖房装置、カバー及び／又は前記シートを前記トイレ又はビデ本体に対して持ち上げ且つ／又は降ろしたりする昇降装置、及び／又は、センサシステムを、電気部品として備え、前記電気部品が前記シート内に組み込まれていることを特徴とする請求項７又は８に記載のシート。
【請求項１０】
前記少なくとも１つの電気部品を、データ信号のための無線受信機を介して、及び／又は、前記ヒンジ部から前記ヒンジ部ホルダへと送信されるデータ信号を介して、制御できることを特徴とする請求項７〜９のいずれか１項に記載のシート。
【請求項１１】
前記シートの前記少なくとも１つの電気部品を制御するための電子部品を有する少なくとも１つの制御ユニット及び／又は回路基板が、シート内に組み込まれていることを特徴とする請求項７〜１０のいずれか１項に記載のシート。
【請求項１２】
前記少なくとも２つのヒンジ部ホルダのうちの１つが電気を供給するように設計され、前記少なくとも２つのヒンジ部ホルダのうちの別の１つが電気を流出させるように設計されていることを特徴とする請求項７〜１１のいずれか１項に記載のシート。
【請求項１３】
前記ヒンジ部ホルダは、挿入された前記ヒンジ部との連結を、角度に応じて、若しくはある角度又はある角度範囲で解除するように設計されていることを特徴とする請求項７〜１２のいずれか１項に記載のシート。
【請求項１４】
請求項７〜１３のいずれか１項に記載の多機能シートを有し、請求項１〜６のいずれか１項に記載のヒンジ部を少なくとも２つ有する衛生器具。
【請求項１５】
前記少なくとも２つのヒンジ部のうちの１つに正の電圧を供給し、前記少なくとも２つのヒンジ部のうちの別の１つに負の電圧を供給する電源を備えることを特徴とする請求項１４に記載の衛生器具。